(57)【要約】      （修正有）【課題】省エネルギー化を維持しつつケース本体内に収納した商品をショーケース用及び自動販売機用に共用することができる商品収納装置を提供する。【解決手段】ケース本体１の前面、背板にショーケース用扉２と自動販売機用扉４を設けた商品収納装置であって、ケース本体１内に架設された商品載置棚６に商品をショーケース用扉方向に搬送して搬出する商品搬出機構を搭載した商品収納ラック７を配設し、商品載置棚６の前方に庫内商品搬出シュータ８を着脱自在に設け、自動販売機モードでは庫内に庫内商品搬出シュータ８を取付けて商品収納ラック７から搬出された商品を庫外に送出し、庫外に送出された商品を、庫外商品搬出シュータ９を介して自動販売機用扉４の商品取出口に送出する。【選択図】図３
2020057343.tif 000002
【特許請求の範囲】
【請求項１】
箱形の断熱筐体として形成されるとともに任意の面に形成された取出用開口が扉体により開閉されるケース本体を有し、かつ前記取出用開口とは異なる個所に商品取出口が形成された装置本体と、
前記ケース本体の内部に前記取出用開口を臨む態様で形成され、かつ商品を収納する商品収納室と
を備えた商品収納装置であって、
前記装置本体に設けられた操作部が操作されて商品が選択された場合に、選択された商品を前記商品収納室から前記商品取出口に搬送する搬送手段を備えたことを特徴とする商品収納装置。
【請求項２】
前記ケース本体は、前記取出用開口が形成された面とは異なる面に商品搬出口が形成され、
前記商品取出口は、前記商品搬出口が形成された面に対して近接離反する態様で前記ケース本体に設けられた他の扉体において、該商品搬出口と対峙する位置に設けられたことを特徴とする請求項１に記載の商品収納装置。
【請求項３】
前記商品搬出口が形成された面は、前記取出用開口が形成された面と対向することを特徴とする請求項２に記載の商品収納装置。
【請求項４】
前記ケース本体の内部を左右方向に前記商品収納室と商品搬出室とに区画するとともに、該商品収納室と該商品搬出室とを連通する態様で開口し、かつ常時払出口扉で閉塞された商品払出口が形成されてなる断熱仕切部材と、
前記商品収納室の内部に、前記扉体との間に商品搬出用の空間を形成する態様で上下方向に複数段架設され、前後方向に一列に整列して収納された商品を前記扉体方向に搬送して搬出する商品搬出機構を搭載した商品収納ラックが左右方向に複数列配設されてなる商品載置棚と
を備え、
前記搬送手段は、
前記商品搬出用の空間に配設され、前記商品収納ラックから搬出された商品を前記商品払出口に向けて搬送する庫内商品搬送装置と、
前記庫内商品搬送装置により搬送され、前記商品払出口を介して払い出された商品を受け取って前記商品搬出口に搬送する庫外商品搬送装置と
を備えたことを特徴とする請求項２又は請求項３に記載の商品収納装置。
【請求項５】
前記庫内商品搬送装置は、前記商品搬出用の空間に着脱自在に架設され、前記商品払出口に向けて漸次下方に傾斜した庫内商品搬出シュータであることを特徴とする請求項４に記載の商品収納装置。
【請求項６】
前記商品搬出用の空間から取り外された庫内商品搬出シュータは、前記商品搬出室側に格納してなることを特徴とする請求項５に記載の商品収納装置。
【請求項７】
前記商品搬出用の空間から取り外された前記庫内商品搬出シュータを係止する係止具が、前記商品搬出室側の前記商品払出口の近傍に設けられ、
前記庫内商品搬出シュータは、前記商品払出口の払出口扉の開放を抑止する態様で前記係止具に係止されてなることを特徴とする請求項５に記載の商品収納装置。
【請求項８】
前記商品搬出機構は、
前後に配置した駆動ローラと従動ローラとの間に無端状に張設された搬送ベルトと、
この搬送ベルトを駆動するモータと、
前記搬送ベルト上に収納された商品の売り切れを検知する売り切れ検知装置と
を有することを特徴とする請求項４に記載の商品収納装置。
【請求項９】
前記他の扉体は、液晶ディスプレイからなるディスプレイ装置を備えてなることを特徴とする請求項２に記載の商品収納装置。
【請求項１０】
前記庫内商品搬送装置は、
前記商品払出口に向けて漸次下方に傾斜する庫内商品搬出トレイと、
前記庫内商品搬出トレイを、前記商品搬出用の空間にて上下方向に沿って移動させる昇降機構と
を備えたことを特徴とする請求項４に記載の商品収納装置。
【請求項１１】
前記昇降機構は、常態においては、前記庫内商品搬出トレイを最上位の前記商品載置棚よりも上方となる位置に配置させることを特徴とする請求項１０に記載の商品収納装置。
【請求項１２】
前記庫内商品搬出トレイは、
前記商品収納ラックに近接するに連れて漸次下方に傾斜する第１傾斜案内部と、
前記第１傾斜案内部における前記商品収納ラックに最も近接する端部に連続し、かつ前記商品収納ラックに近接するに連れて漸次上方に傾斜する第２傾斜案内部と
を備えたことを特徴とする請求項１０又は請求項１１に記載の商品収納装置。
【発明の詳細な説明】
【技術分野】
【０００１】
本発明は、スーパーマーケットやコンビニエンスストア等の店舗に設置され、１台の機械でショーケースの機能と自動販売機の機能とを兼用して、設置スペース及びエネルギーの削減が可能な商品収納装置に関するものである。
【背景技術】
【０００２】
この種の商品収納装置として特許文献１に開示された発明が知られている。この商品収納装置は、断熱筐体として形成されるとともに前面が開口したケース本体と、このケース本体の前面開口に開閉自在に設けられるとともに下部に商品取出口を有する扉と、上記ケース本体の内部に上下方向に複数段架設され、商品を前後方向に一列に整列して収納する商品収納ラックが左右方向に複数列配設されてなる商品載置棚と、各段の商品載置棚の前面を走行し、商品収納ラックから搬出された商品を受け取ったうえで商品取出口に搬送する商品搬送装置を備えて構成される。
【０００３】
扉はケース本体の内部を透視可能なガラス等の透明部材が嵌め込まれる窓が上部域に形成され、下部域に商品取出口が形成された矩形の枠体として構成され、透明部材を介して内部の商品を目視可能である。
【０００４】
商品載置棚に配設された商品収納ラックは、前後に配置した駆動ローラと従動ローラとに掛けた無端状の搬送ベルトからなる商品搬送機構を備え、この商品搬送機構の搬送ベルトの上に商品が収納される。
【０００５】
無端状の搬送ベルトの上面は、商品を一列に整列して収納する載置面として形成されている。上記載置面には、一列に整列して収納された最後尾の商品の背後に位置する態様で商品押圧部材が設けられている。
【０００６】
上記搬送ベルトは各段の商品載置棚の前面を走行する商品搬送装置側から駆動力が伝達されることにより商品を搬出するように構成されている。この場合、搬送ベルトに一列に整列して収納された商品は商品押圧部材より倒れることなく前方に搬送される。
【０００７】
ケース本体の側面には自動販売機の商品の販売に必要な課金部（紙幣挿入口、硬貨投入口、返却レバー、硬貨返却口等）及び操作部（商品選択用のテンキー及び決定キー等の操作ボタン、選択した商品に係る番号又は受容した金額やつり銭金額等を表示する表示パネル等）を搭載した操作ユニットが設けられている。
【０００８】
かかる特許文献１に記載された発明においては、商品を自動販売する自動販売機モードと有人販売を前提としたショーケースモードとを備え、自動販売機として運用する自動販売機モードでは、扉を施錠したうえで操作ユニットを使用できるように設定し、ショーケースとして運用するショーケースモードでは、扉を解錠するとともに操作ユニットを使用できないように設定するように構成されている。
【０００９】
上記特許文献１に記載された発明によれば、１台の機械でショーケースの機能と自動販売機の機能とを兼用して設置スペースの削減及びエネルギーの削減が可能である点で優れている。
【００１０】
上述した特許文献１に記載された自動販売機においては、ケース本体の前面開口を開閉する扉に商品取出口が設けられ、自動販売機モードでは商品収納ラックから搬出された商品を商品取出口に搬送して販売し、ショーケースモードでは購入者が扉を開放して商品収納ラックから商品を取り出すように構成されている。このため、スーパーマーケット等の店舗に特許文献１に記載された自動販売機を設置する場合、扉が店舗内に位置する態様で設置されることとなり、当該自動販売機の稼働（商品の売り上げ）が店舗における営業時間帯に限られるという問題を有する。かかる問題を解消するため、ケース本体の前後両面を開口するとともにケース本体の前後方向の中間位置に仕切壁を設け、一方の開口にショーケース用の扉を設け、他方の開口に自動販売機の扉を設けたショーケース一体型自動販売機も知られている（例えば、特許文献２参照）。
【先行技術文献】
【特許文献】
【００１１】
【特許文献１】特許第４３７９３２４号公報
【特許文献２】特開平８−１２４００７号公報
【発明の概要】
【発明が解決しようとする課題】
【００１２】
上述した特許文献２に記載されたショーケース一体型自動販売機においては、ショーケース用の扉が店舗内を向く一方、自動販売機の扉が店舗外を向くようにケース本体が店舗の壁を貫通して設置される。この公知のショーケース一体型自動販売機によれば、店舗の営業時間帯にはショーケースとして商品を販売できるとともに店舗の営業時間外にも自動販売機により商品を販売することができる。
【００１３】
ところが、公知のショーケース一体型自動販売機においては、ショーケースとして販売する商品と自動販売機として販売する商品とをそれぞれショーケース用と自動販売機用として用意せねばならならず、また、商品のローディングもショーケースと自動販売機毎に行わねばならない。更には、商品の消費期限の管理をショーケース及び自動販売機毎に行なう必要があるという課題を有する。
【００１４】
ところで、特許文献１に記載された自動販売機に公知のショーケース一体型自動販売機の技術を適用すれば、店舗の営業時間帯にはショーケースとして商品を販売できるとともに店舗の営業時間外には自動販売機により商品を販売することが可能となる。そこで、特許文献１に記載された自動販売機におけるケース本体の背面を開口したうえで、当該開口に内部を透視可能なガラス等の透明部材を有するショーケース用扉を設け、このショーケース用扉が店舗内を向く一方、自動販売機の扉が店舗外を向くようにケース本体が店舗の壁を貫通する態様で設置することが考えられる。これによれば、商品載置棚の商品収納ラックに収納された商品をショーケースと自動販売機とに共用することができる。しかしながら、断熱筐体として構成されたケース本体の背面を開放することはケース本体の背面の断熱材を削除することであり、ケース本体の断熱性能を著しく低下させてしまうことは否めない。このように断熱性能が低下した場合、ケース本体内の商品載置棚に収納された商品を所望の冷却温度に維持するには、冷凍機コンデンシングユニットの大型化は避けられず、電力消費量が増大して省エネルギー化に反する結果となる。このように、ただ単に特許文献１に記載された自動販売機に公知のショーケース一体型自動販売機の技術を適用しても省エネルギー化を維持しつつケース本体内に収納した商品をショーケース用及び自動販売機用に共用することができるショーケース兼用自動販売機を得ることはできないという課題を有する。
【００１５】
本発明は、上記実情に鑑みてなされたものであり、省エネルギー化を維持しつつ収納した商品をショーケース用及び自動販売機用に共用することができる商品収納装置を提供することを目的とする。
【課題を解決するための手段】
【００１６】
上記目的を達成するために、本発明に係る商品収納装置は、箱形の断熱筐体として形成されるとともに任意の面に形成された取出用開口が扉体により開閉されるケース本体を有し、かつ前記取出用開口とは異なる個所に商品取出口が形成された装置本体と、前記ケース本体の内部に前記取出用開口を臨む態様で形成され、かつ商品を収納する商品収納室とを備えた商品収納装置であって、前記装置本体に設けられた操作部が操作されて商品が選択された場合に、選択された商品を前記商品収納室から前記商品取出口に搬送する搬送手段を備えたことを特徴とする。
【００１７】
また本発明は、上記商品収納装置において、前記ケース本体は、前記取出用開口が形成された面とは異なる面に商品搬出口が形成され、前記商品取出口は、前記商品搬出口が形成された面に対して近接離反する態様で前記ケース本体に設けられた他の扉体において、該商品搬出口と対峙する位置に設けられたことを特徴とする。
【００１８】
また本発明は、上記商品収納装置において、前記商品搬出口が形成された面は、前記取出用開口が形成された面と対向することを特徴とする。
【００１９】
また本発明は、上記商品収納装置において、前記ケース本体の内部を左右方向に前記商品収納室と商品搬出室とに区画するとともに、該商品収納室と該商品搬出室とを連通する態様で開口し、かつ常時払出口扉で閉塞された商品払出口が形成されてなる断熱仕切部材と、前記商品収納室の内部に、前記扉体との間に商品搬出用の空間を形成する態様で上下方向に複数段架設され、前後方向に一列に整列して収納された商品を前記扉体方向に搬送して搬出する商品搬出機構を搭載した商品収納ラックが左右方向に複数列配設されてなる商品載置棚とを備え、前記搬送手段は、前記商品搬出用の空間に配設され、前記商品収納ラックから搬出された商品を前記商品払出口に向けて搬送する庫内商品搬送装置と、前記庫内商品搬送装置により搬送され、前記商品払出口を介して払い出された商品を受け取って前記商品搬出口に搬送する庫外商品搬送装置とを備えたことを特徴とする。
【００２０】
また本発明は、上記商品収納装置において、前記庫内商品搬送装置は、前記商品搬出用の空間に着脱自在に架設され、前記商品払出口に向けて漸次下方に傾斜した庫内商品搬出シュータであることを特徴とする。
【００２１】
また本発明は、上記商品収納装置において、前記商品搬出用の空間から取り外された庫内商品搬出シュータは、前記商品搬出室側に格納してなることを特徴とする。
【００２２】
また本発明は、上記商品収納装置において、前記商品搬出用の空間から取り外された前記庫内商品搬出シュータを係止する係止具が、前記商品搬出室側の前記商品払出口の近傍に設けられ、前記庫内商品搬出シュータは、前記商品払出口の払出口扉の開放を抑止する態様で前記係止具に係止されてなることを特徴とする。
【００２３】
また本発明は、上記商品収納装置において、前記商品搬出機構は、前後に配置した駆動ローラと従動ローラとの間に無端状に張設された搬送ベルトと、この搬送ベルトを駆動するモータと、前記搬送ベルト上に収納された商品の売り切れを検知する売り切れ検知装置とを有することを特徴とする。
【００２４】
また本発明は、上記商品収納装置において、前記他の扉体は、液晶ディスプレイからなるディスプレイ装置を備えてなることを特徴とする。
【００２５】
また本発明は、上記商品収納装置において、前記庫内商品搬送装置は、前記商品払出口に向けて漸次下方に傾斜する庫内商品搬出トレイと、前記庫内商品搬出トレイを、前記商品搬出用の空間にて上下方向に沿って移動させる昇降機構とを備えたことを特徴とする。
【００２６】
また本発明は、上記商品収納装置において、前記昇降機構は、常態においては、前記庫内商品搬出トレイを最上位の前記商品載置棚よりも上方となる位置に配置させることを特徴とする。
【００２７】
また本発明は、上記商品収納装置において、前記庫内商品搬出トレイは、前記商品収納ラックに近接するに連れて漸次下方に傾斜する第１傾斜案内部と、前記第１傾斜案内部における前記商品収納ラックに最も近接する端部に連続し、かつ前記商品収納ラックに近接するに連れて漸次上方に傾斜する第２傾斜案内部とを備えたことを特徴とする。
【発明の効果】
【００２８】
本発明によれば、装置本体に設けられた操作部が操作されて商品が選択された場合に、選択された商品を商品収納室から商品取出口に搬送する搬送手段を備えているので、取出用開口が扉体により開成された場合に、商品収納室の商品が該取出用開口を通じて取り出されることを許容し、操作部が操作された場合には、商品収納室の商品が搬送手段により商品取出口に搬送されて取り出されることを許容することができる。よって、従来のように断熱筐体として構成されたケース本体の背面を開放（ケース本体の背面の断熱材を削除）してケース本体の断熱性能を著しく低下させてしまい、収納された商品を所望の冷却温度に維持するための冷凍機コンデンシングユニットが大型化して電力消費量の増大を招来するという不利な点を解消することができる。従って、省エネルギー化を維持しつつ収納した商品をショーケース用及び自動販売機用に共用することができる。
【図面の簡単な説明】
【００２９】
【図１】図１は、本発明の実施の形態である商品収納装置としてのショーケース兼用自動販売機を示し、ショーケースの接客面側から見た斜視図である。
【図２】図２は、図１のショーケース兼用自動販売機を自動販売機の接客面側から見た斜視図である。
【図３】図３は、図１のショーケース兼用自動販売機からショーケース用扉、メンテナンス扉を分解して示す分解図である。
【図４】図４は、図２のショーケース兼用自動販売機から自動販売機用扉を分解して示す分解図である。
【図５】図５は、ケース本体の背板に設けた商品搬出口に装着される搬出口枠ユニットを示し、（ａ）は搬出口枠ユニットの斜視図、（ｂ）は搬出口枠ユニットの分解図である。
【図６】図６は、断熱仕切部材の斜視図である。
【図７】図７は、商品収納ラックの斜視図である。
【図８】図８は、図７に示す商品搬出機構の一部省略斜視図である。
【図９】図９は、駆動ユニットをベース部材の装着スロットに装着する状態を示す一部省略分解斜視図である。
【図１０】図１０は、駆動ユニットを示し、表カバーを取り外した状態の正面図である。
【図１１】図１１は、売切検知装置を構成する揺動部材及びリンク部材を示す斜視図である。
【図１２】図１２は、庫内商品搬出シュータを示し、（ａ）は庫内商品搬出シュータを取付金具と共に示す斜視図、（ｂ）は庫内商品搬出シュータを下方から見た斜視図である。
【図１３】図１３は、図１２の庫内商品搬出シュータの分解図である。
【図１４】図１４は、庫内商品搬出シュータをケース本体に架設した状態の一部省略斜視図である。
【図１５】図１５は、庫外搬出シュータを示す分解斜視図である。
【図１６】図１６は、ケース本体の右側板を除去した状態の一部省略右側面図である。
【図１７】図１７は、ショーケース兼用自動販売機をショーケースモードで使用する場合を示し、ケース本体の右側板を除去した一部省略斜視図である。
【図１８】図１８は、ショーケース兼用自動販売機を自動販売機モードで使用する場合を示し、ケース本体の右側板を除去した一部省略斜視図である。
【図１９】図１９は、本発明の実施の形態である商品収納装置の変形例の内部構造を示す斜視図である。
【図２０】図２０は、図１９に示した庫内商品搬送装置を示す斜視図である。
【図２１】図２１は、図２０に示した庫内商品搬送装置の要部を示す斜視図である。
【図２２】図２２は、図２０に示した庫内商品搬送装置の要部を示す正面図である。
【図２３】図２３は、図２１及び図２２に示した庫内商品搬出トレイを示す斜視図である。
【図２４】図２４は、庫内商品搬出トレイの常態における配置状態を示す斜視図である。
【図２５】図２５は、庫内商品搬出トレイの動作を示す説明図である。
【発明を実施するための形態】
【００３０】
以下に添付図面を参照して、本発明に係る商品収納装置の好適な実施の形態について詳細に説明する。
【００３１】
図１乃至図４は、本発明の実施の形態である商品収納装置を示す。ここで例示する商品収納装置は、例えばコンビニエンスストア等の店舗に設置されたショーケース兼用自動販売機１０であり、ショーケース兼用自動販売機１０におけるショーケースの接客面側が店舗内を向く一方、自動販売機の接客面が店舗外を向くようにケース本体が店舗の壁を貫通して設置される。尚、以下の説明において「前面」及び「左右」とは店舗内からショーケース兼用自動販売機１０を見た場合（つまり、ショーケース接客面側から見た場合）を指している。
【００３２】
図１乃至図４に示すように、このショーケース兼用自動販売機１０は、装置本体１０ａを備えている。この装置本体１０ａは、箱形の断熱筐体として形成され、前後方向の一方の面（以下、前面ともいう）が開口してなるケース本体１と、上記ケース本体１の前面の開口を閉塞する態様で開閉自在に設けられたショーケース用扉（扉体）２及びメンテナンス扉３と、上記ケース本体１の他方の面（以下、背板ともいう）に開閉自在に設けられるとともに商品取出口４０が形成された自動販売機用扉（他の扉体）４と、上記ケース本体１内を左右方向に商品収納室１Ａと商品搬出室１Ｂとに区画するとともに商品収納室１Ａと商品搬出室１Ｂとを連通する態様で開口した払出口扉５３（図６参照）付きの商品払出口５１が形成されてなる断熱仕切部材５と、上記ケース本体１における商品収納室１Ａ内にショーケース用扉２との間に商品搬出用の空間２ａを形成する態様で商品収納室１Ａの上部域に上下方向に複数段架設（この例では５段）され、前後方向に一列に整列して収納された商品をショーケース用扉方向に搬送して１個の商品を搬出し、かつ商品の売り切れを検知する売り切れ検知装置７８（後述する図７参照）を有する商品搬出機構７１（後述する図７参照）を搭載した商品収納ラック７が左右方向に複数列配設されてなる商品載置棚６（この例では上段側２段に商品収納ラック７が配設され、その下方３段には商品収納ラック７が配設されていない）と、上記ケース本体１の商品搬出用の空間２ａに配設され、商品収納ラック７から搬出された商品を断熱仕切部材５の商品払出口５１に向けて搬送する庫内商品搬出シュータ（庫内商品搬送装置）８と、上記庫内商品搬出シュータ８により搬送され、上記断熱仕切部材５の商品払出口５１を介して搬出された商品を受け取って上記自動販売機用扉４の商品取出口４０に向けて搬送する庫外商品搬出シュータ（庫外商品搬送装置）９とを備えてなる。つまり、庫内商品搬出シュータ８及び庫外商品搬出シュータ９は、商品収納ラック７から搬出された商品を、商品収納室１Ａから商品取出口４０へ搬送する搬送手段１Ｃを構成している。
【００３３】
ケース本体１は、複数の鋼板からなる上板１１、背板１２（図３参照）、左右側板１３，１３と底部の基台１４を適宜組み合わせて前面が開口した箱形に形成され、鋼板製の箱型の内側である上壁、背壁、左右側壁及び底壁１５（図３参照）にウレタンフォームからなる断熱材を配設して断熱筐体として構成されている。
【００３４】
このケース本体１の断熱材で囲まれた庫内が断熱仕切部材５により左右に区画された商品収納室１Ａと商品搬出室１Ｂとして構成され、ケース本体１の下部が機械室２０として構成されている。尚、断熱仕切部材５の左方側の開口が、取出用開口２ｂである。
【００３５】
商品収納室１Ａの下方における機械室２０の前面には機械室カバー２０１が配設されている。商品収納室１Ａの下部（底壁１５の上面）には商品収納室１Ａに収納した商品を冷却若しくは加熱してコールド若しくはホット状態に保存する冷却／加熱ユニット（不図示）が配設されている。
【００３６】
冷却／加熱ユニットは、蒸発器とヒータと庫内ファンとからなる。上記冷却／加熱ユニットの蒸発器と冷凍サイクルを形成する冷凍機コンデンシングユニット（不図示）がケース本体１の下部における機械室カバー２０１背後の機械室２０の基台１４上に配設されている。
【００３７】
冷凍機コンデンシングユニットは、圧縮機、凝縮器、庫外ファン、膨張弁等からなり、機械室２０に配された凝縮器と商品収納室１Ａ内に配された蒸発器とが膨張弁を介して冷媒配管により接続されている。
【００３８】
商品搬出室１Ｂには、上述した庫外商品搬出シュータ９に加えて、自動販売機の主制御装置、電源ボックス、漏電遮断器等の構成部品が配設されている。
【００３９】
ケース本体１の背板１２には、図４に示すように、搬出口枠ユニット１９が装着された商品搬出口１６が開口して形成されている。この商品搬出口１６は商品載置棚６の商品収納ラック７から搬出され、庫内商品搬出シュータ８と庫外商品搬出シュータ９とを介して搬送された商品が通過可能な大きさに形成されている。
【００４０】
搬出口枠ユニット１９は、図５に示すように、商品搬出口１６の開口に嵌め込まれる大きさの額縁状の搬出口枠１７と、この搬出口枠１７に軸支される搬出口扉１８からなる。搬出口扉１８は矩形平板の中央部を一方側に膨らませた膨出部１８２を備え、膨出部１８２の周囲に平板面部１８１を形成しなり、平板面部１８１の上端の左右両側に外側方向に向けて突出する軸１８ａ，１８ａを形成したものである。
【００４１】
搬出口扉１８は膨出部１８２が設けられていることにより、左右の軸１８ａ，１８ａを支持した状態で垂下させた場合、その重心点が軸１８ａ，１８ａを通る鉛直線よりも膨出部１８２と反対側に偏移させるものである。搬出口扉１８は左右の軸１８ａ，１８ａを搬出口枠１７の左右内壁の上部に設けた軸受け（不図示）に係合させることにより回動自在に軸支されてなる。
【００４２】
搬出口枠１７の左右内壁には、搬出口枠１７の軸１８ａ，１８ａを搬出口枠１７に設けた軸受けに係合させた際に平板面部１８１が当接する傾斜面１７１が形成されている。このため、搬出口扉１８を搬出口枠１７に取付けて垂下させた場合、膨出部１８２による重心位置の偏移と相まって搬出口扉１８自身の自重により商品搬出口１６を閉塞して外気が流入するのを防止する。
【００４３】
ケース本体１の前面開口は、ケース本体１の左側縁部に開閉可能に支承され、観音開き式に構成されたショーケース用扉２とメンテナンス扉３とによって閉塞される。つまり、取出用開口２ｂは、ショーケース用扉２により開閉される。
【００４４】
ショーケース用扉２の外枠２１には透明なガラス板２２が嵌め込んであり、外部から透明なガラス板２２を通して商品収納室１Ａの内部が視認される。ショーケース用扉２のヒンジ側の外枠２１の上下端部にはピストン−シリンダ型スプリング２３とストッパ部材２４とが設けられている。
【００４５】
ピストン−シリンダ型スプリング２３は解放されたショーケース用扉２を自動閉鎖する周知（例えば特開平５−１１８１７９号公報）のものであり、ストッパ部材２４はショーケース用扉２の開放角度（例えば、９０度）を規定し、ショーケース用扉２が規定の角度以上に開放するのを防止する周知（例えば特開平５−１１８１７９号公報）のものである。メンテナンス扉３は金属製の薄い箱状をなし、前面にキー溝３１が臨むキーロック装置（不図示）を備えている。
【００４６】
自動販売機用扉４はケース本体１の背面を覆う態様の薄い箱型をなし、右端側の上下両端にヒンジ軸（不図示）を備え、このヒンジ軸がヒンジ取付金具４ａ，４ｂを介してケース本体１の背面に開閉自在に取付けられる。
【００４７】
自動販売機用扉４の略半分を占める上部域には表示窓４１が形成され、この表示窓４１には液晶ディスプレイからなるディスプレイ装置（操作部）４２が設けられている。また、自動販売機用扉４における表示窓４１の横には紙幣挿入口４３ａ、硬貨投入口４３ｂ、返却レバー４３ｃ、硬貨返却口４３ｄからなる課金部４３及びキーロック装置（不図示）のキー溝４４が設けられている。更に、自動販売機用扉４における表示窓４１の下方の右端寄りには円形の開口からなる商品取出口４０が形成されている。
【００４８】
ディスプレイ装置４２はタッチパネル式画面となっており、販売する商品及び商品価格を表示する表示手段としての機能を有するとともに、購入者により商品を表示する部分が押圧されると当該商品が選択された旨の信号を自動販売機の主制御装置に与える入力手段（タッチパネル）としての機能を有するものである。尚、課金部４３に代えて電子マネー搭載の記録媒体（ＩＣカード、携帯電話等）により電子マネー決済を行うこともできるものであり、課金部４３に限定されるものではない。
【００４９】
商品取出口４０の前面側（自動販売機用扉４から見た場合には背面側）には、商品受箱４０１（図１７参照）が設けられている。商品受箱４０１は、天板と底板と左右側板とを備えて構成され、前面及び後面が開放した箱形構造として形成されている。この商品受箱４０１は、後面が自動販売機用扉４に開口して設けた商品取出口４０に臨み、前面がケース本体１の背板１２に形成した商品搬出口１６に臨み、商品搬出口１６を介して送出される商品を受容するものである。尚、商品取出口４０は、上端を軸支された内開き方式の取出口扉４００（図１６も参照）により閉塞されている。
【００５０】
図６は、ケース本体１内を左右方向に商品収納室１Ａと商品搬出室１Ｂとに区画する断熱仕切部材５を示す。断熱仕切部材５は矩形のウレタンフォームからなる断熱材を主要な構成部材とするものである。この断熱仕切部材５の前方寄りの上下方向の中間位置には、商品収納室１Ａと商品搬出室１Ｂとを連通する態様の商品払出口５１が開口して形成されている。この商品払出口５１は商品載置棚６の商品収納ラック７から搬出され、庫内商品搬出シュータ８を介して搬送された商品が通過可能な大きさに形成されている。また、商品払出口５１には払出口枠ユニット５４が装着される。払出口枠ユニット５４は、額縁状の払出口枠５２と、この払出口枠５２に軸支される払出口扉５３からなり、上述した搬出口枠ユニット１９と同様の構成をなすものであるので重複する説明は省略する。この払出口枠ユニット５４の払出口扉５３は払出口扉５３自身の自重により商品払出口５１を閉塞して商品収納室１Ａ内の冷気若しくは暖気が商品搬出室１Ｂ側に流出するのを防止する。
【００５１】
また、断熱仕切部材５には上下一対の係止具５５，５６が設けられている。これらの係止具５５，５６は、不使用時の庫内商品搬出シュータ８を保持して商品搬出室１Ｂに格納するためのものであり、互いに対向する方向に折り曲げられた係合片５５ａ，５６ａを備えている。尚、断熱仕切部材５には金属板５００が貼着されており、この金属板５００に係止具５５，５６がねじ止めされる。
【００５２】
上記商品収納室１Ａ内に上下方向に複数段架設され商品載置棚６は左右側壁を有する矩形平板の棚板として形成されている。商品載置棚６の左右側壁の外側には図示を省略したローラが前後方向に複数設けられている。これらのローラはケース本体１の商品収納室１Ａの内部の前後左右に配設した支柱（不図示）に固定されたレールＲ（図１７参照）により保持されている。したがって、商品載置棚６は商品収納室１Ａに格納された位置と商品収納室１Ａから前方に引き出された位置との間を前後方向にスライド移動自在である。
【００５３】
上下方向に５段の商品載置棚６のうち、上方の２段の商品載置棚６に左右方向に複数列配設されてなる商品収納ラック７を図７乃至図１１に示す。尚、上方の３段の商品載置棚６はショーケース用扉２との間に商品搬出用の空間２ａを形成し、当該商品搬出用の空間２ａに庫内商品搬出シュータ８を配設することができるように奥まった位置に押し込まれている。
【００５４】
図７及び図８に示すように、商品収納ラック７は、前後方向に一列に整列して収納された商品を駆動ユニット７０からの回転駆動力を受けてショーケース用扉方向に搬送して商品を搬出し、かつ、商品の売り切れを検知する売り切れ検知装置７８を有する商品搬出機構７１を搭載したものである。
【００５５】
商品搬出機構７１は、駆動ユニット７０からの回転駆動力を受けて走行することにより、その搬送面７２ａ上に載置した商品Ｇを搬送方向Ａに搬送可能な無端の搬送ベルト７２を有するベルトコンベア機構からなる。搬送ベルト７２は、搬送方向Ａで上流側に設けられる駆動ローラ７３と、下流側に設けられる従動ローラ７４との間に無端状に巻き掛けられ、駆動ローラ７３の回転駆動力によって走行する。すなわち、搬送ベルト７２は、搬送方向Ａで最も上流側となる位置が駆動ローラ７３によって支持される一方、最も下流側となる位置が従動ローラ７４によって支持されている。
【００５６】
駆動ローラ７３は、ベース部材７００に装着されるコンベアベース７１０の基端側に立設された左右の側壁７１０ａ、７１０ａ間に軸支され、従動ローラ７４は、コンベアベース７１０の先端側の左右の側壁間に軸支されている。また、商品搬出機構７１の搬送面７２ａ上には、売り切れ検知装置７８を構成する検知部材７８０が設けられている。検知部材７８０は、搬送ベルト７２との当接面に設けた係合爪（不図示）を搬送ベルト７２に適宜穿孔した係合穴（不図示）に係合させることにより搬送ベルト７２に対して着脱自在である。検知部材７８０は、整列された商品Ｇのうち、最も後方（最後尾）の商品Ｇの背後に設けられ（例えば、図７中に２点鎖線で示す検知部材７８０参照）、搬送ベルト７２の走行による商品Ｇの搬送とともに移動して、最終的には図７中に実線で示すように、商品収納ラック７の最前まで移動する。検知部材７８０は、左右方向に張り出す押圧部７８０ａを備えている。
【００５７】
図８に示すように、商品搬出機構７１の奥側端部には、駆動ユニット７０の回転体７０４（後述する図９参照）に連結される連結部７５１を有する連結ギア７５と、連結ギア７５と噛み合うことで従動回転される従動ギア７６と、従動ギア７６の側面に位置する駆動ローラ７３と、駆動ローラ７３より前方で、かつ、下方に配設されて搬送ベルト７２に張力を付与するテンションローラ７７とが備えられる。連結ギア７５は、従動ギア７６と噛み合う大径の「かさ歯車」であり、「かさ歯車」より奥側に向かって突出した円筒状の連結部７５１とを備えている。円筒状の連結部７５１の周縁には前後方向に延在する突起７５１ａが形成されている。従動ギア７６は、連結ギア７５の「かさ歯車」と噛み合う「かさ歯車」を有し、コンベアベース７１０の左右の側壁７１０ａ、７１０ａ間に軸支された駆動ローラ７３の一端側に嵌合されることで、駆動ローラ７３と同軸上で一体に連結されている。
【００５８】
駆動ユニット７０は、図９に示すように、表カバー７０１ａと裏カバー７０１ｂとによって矩形箱状に構成される筐体７０１を備えている。この筐体７０１の内部には、図１０（駆動ユニット７０の表カバー７０１ａを取り外した状態の正面図）に示すように、モータ７０２、ギア機構７０３、回転体７０４、検知スイッチ７０５を収容して構成されている。筐体７０１の表カバー７０１ａの前面には売り切れ検知装置７８を構成する揺動部材７８２が設けられている。この揺動部材７８２は、正面視略三角形状に構成され板状部材であり、三角形の上部頂点近傍に形成された軸孔７８２ａに、図９に示した筐体７０１の表カバー７０１ａから突出する軸ピン７０６が挿通され、軸ピン７０６を回動中心として揺動可能となっている。上記駆動ユニット７０は、図８に示したコンベアベース７１０に搭載された商品搬出機構７１が装着されるベース部材７００の装着スロット７００ａに装着される。
【００５９】
駆動ユニット７０の筐体７０１の内部に収容されたモータ７０２の回転軸には、ウオーム歯車（ねじ歯車）７０２ａが固着されている。ギア機構７０３は、モータ７０２の回転を回転体７０４に伝達するための伝達機構（減速機構）であり、ウオーム歯車７０２ａに噛み合うウォームホイール（はす歯歯車）７０３ａと、ウォームホイール７０３ａによって従動回転されるとともに、回転体７０４を回転駆動する伝達ギア７０３ｂとから構成されている。検知スイッチ７０５は、検知レバー７０５ａが押圧されて揺動されことにより押ボタン７０５ｂが押し下げられるマイクロスイッチである。回転体７０４は、伝達ギア７０３ｂに一体の小径ギア（図１０では伝達ギア７０３ｂに隠れて見えない）と噛み合う大径のギア部７０４１と、ギア部７０４１より小径の円筒状に形成されて前後方向に延びた装着部７０４２とを有する。装着部７０４２は、商品搬出機構７１の奥側端部に設けた連結ギア７５の連結部７５１を着脱可能となっている。この場合、装着部７０４２の内周面には、周方向に沿って複数の溝部７０４２ａが形成され、この溝部７０４２ａは連結ギア７５の連結部７５１に形成した突部７５１ａと係合可能である。したがって、連結ギア７５の連結部７５１に形成した突部７５１ａを溝部７０４２ａに係合させる態様で連結ギア７５の連結部７５１を回転体７０４の装着部７０４２に装着することによりモータ７０２の回転が連結ギア７５に伝達されて搬送ベルト７２が走行する。
【００６０】
次に、売り切れ検知装置７８は、搬送ベルト７２に設けられた検知部材７８０と、ベース部材７００の側面に搬送方向Ａに沿って延在し、検知部材７８０によって搬送方向Ａの方向にスライドされる長尺棒状のリンク部材７８１と、駆動ユニット７０に設けられる揺動部材７８２及び検知スイッチ７０５とから構成される。  
【００６１】
検知部材７８０は、商品収納ラック７に整列された商品Ｇのうち、最後尾の商品Ｇの背後に設けられ、商品Ｇとともに搬送方向Ａに移動する。そして、最後尾の商品Ｇが商品収納ラック７から払い出されると、その下部に左右方向に張り出して形成された押圧部７８０ａが、商品収納ラック７の最前位置でリンク部材７８１の先端面７８１ａの背面側を前方へと押圧してスライドさせる。  
【００６２】
図１１に示すように、リンク部材７８１は、先端面７８１ａと、先端面７８１ａの後方に設けられてベース部材７００の内側に向かって水平方向に突出する第１突出片７８１ｂと、長手方向略中央に設けられてベース部材７００の内側に向かって水平方向に突出する第２突出片７８１ｃと、後端側に設けられてベース部材７００の内側に向かって水平方向に突出する第３突出片７８１ｄと、後端から上方に屈曲した後に後方へと突出することで側面視略Ｌ字状に形成された押圧片７８１ｅとを有する。第１突出片７８１ｂ、第２突出片７８１ｃ及び第３突出片７８１ｄは、ベース部材７００の側面に開口形成され、搬送方向Ａに沿って延びた図示しないスライド長孔に移動可能な状態で係合し、当該リンク部材７８１のスライド動作を案内する。この際、第２突出片７８１ｃには、ベース部材７００との間に図示しないコイルばねが取り付けられることにより、リンク部材７８１は、ベース部材７００に対して相対的に後方（搬送方向Ａの逆方向）に向かって付勢されている。押圧片７８１ｅの自由端（後端）には、揺動部材７８２の側面と摺接可能な傾斜面７８１ｆが形成されている。傾斜面７８１ｆは、押圧片７８１ｅの肉厚が後方に向かうに従って漸減するようにカットすることにより形成されている。
【００６３】
また、図１１に示すように、揺動部材７８２は、左右方向（実線矢印Ｌ、点線矢印Ｒ）に揺動可能であり、コイルばね７８３（図９参照）により、点線矢印Ｒに付勢されている。揺動部材７８２の側面からは奥側に向かって押圧レバー７８２ｂが突出している。押圧レバー７８２ｂは、駆動ユニット７０の筐体７０１の表カバー７０１ａに設けた開口を通して検知スイッチ７０５の検知レバー７０５ａに対峙するものである。
【００６４】
次に、この売り切れ検知装置７８による売切検知動作について説明する。
【００６５】
先ず、商品収納ラック７に商品Ｇが残っており、搬送ベルト７２に設けた検知部材７８０がリンク部材７８１の先端面７８１ａから離間している通常時、リンク部材７８１が後方にスライドしている。この状態でリンク部材７８１の後端に位置する押圧片７８１ｅに形成した傾斜面７８１ｆの厚肉部位が揺動部材７８２の側面に当接して揺動部材７８２は実線矢印Ｒの方向に揺動した状態で保持されている。揺動部材７８２が実線矢印Ｒの方向に揺動した状態では、揺動部材７８２の押圧レバー７８２ｂが、検知スイッチ７０５の検知レバー７０５ａから離間した位置にあり、検知スイッチ７０５はオフになっている。
【００６６】
この状態から、商品収納ラック７の最後尾の商品Ｇを払い出す途中で、検知部材７８０の押圧部７８０ａがリンク部材７８１の先端面７８１ａに当接してリンク部材７８１を前方へとスライドさせる。リンク部材７８１を前方へのスライドにより傾斜面７８１ｆの揺動部材７８２の側面との摺接部位が厚肉部位から薄肉部位へと移動して揺動部材７８２を実線矢印Ｒの方向へ押圧する押圧力がなくなる。これに伴って、揺動部材７８２は、コイルばね７８３の付勢力によって点線矢印Ｌの方向に揺動する。これにより、揺動部材７８２の押圧レバー７８２ｂが検知スイッチ７０５の検知レバー７０５ａを押圧し、該検知レバー７０５ａによって押ボタン７０５ｂが押し下げられるため、検知スイッチ７０５はオンとなる。自動販売機の主制御回路は、上記検知スイッチ７０５の信号を監視しており、検知スイッチ７０５がオンとなったと判定すると、商品Ｇの売り切れが検知された当該商品収納ラック７について、そのラック番号が売り切れであると判断し、ディスプレイ装置４２に表示して購入者に通知する。
【００６７】
尚、売り切れが検知された商品収納ラック７については、作業者がショーケース用扉２を開放して商品Ｇを補充する際に、検知部材７８０を再び奥側に移動させて最後尾の商品Ｇの背後に設置することにより、リンク部材７８１と揺動部材７８２とが通常時の状態に復帰する。
【００６８】
庫内商品搬出シュータ８を図１２及び図１３に示す。図１２及び図１３に示すように、庫内商品搬出シュータ８は、シュータ本体８０と、シュータ本体８０の前後両縁に沿って配設される前方案内部材８４及び後方案内部材８５と、シュータ本体８０の両端下部に配設される係止金具８６，８７とからなる。尚、図１２（ａ）における８０１，８０２は、庫内商品搬出シュータ８をケース本体１の商品収納室１Ａの商品搬出用の空間２ａに配設するための固定部材である。固定部材８０１は、図１４に示すようにケース本体１の左側板１３の内側に固着され、固定部材８０２は断熱仕切部材５の商品収納室１Ａ内側であって、商品払出口５１の下方位置に固着されるものである。
【００６９】
シュータ本体８０は、長辺側の前フレーム８１ａと後フレーム８１ｂ及び短辺側の左右フレーム８１ｃ，８１ｃからなるフレーム８１と、このフレーム８１の長辺に跨る態様で配置される多数の軸８２と、これらの軸８２により支持された複数のローラ８３を配したものである。このシュータ本体８０は、いわゆる「そろばん」の形態をなしている。
【００７０】
前方案内部材８４は、左右の２分割された右側案内部材８４１と左側案内部材８４２とからなる。右側案内部材８４１、左側案内部材８４２は、フレーム８１の前フレーム８１ａに沿う態様の取付部８４１ａ，８４２ａと、取付部８４１ａ，８４２ａに連なり、前フレーム８１ａの上面を覆う態様の平坦部８４１ｂ、８４２ｂと、平坦部８４１ｂ、８４２ｂに連なり、斜め上方に傾斜した案内部８４１ｃ，８４２ｃとからなる。上記取付部８４１ａ，８４２ａの幅は前フレーム８１ａの幅よりも広い幅に定められ、取付部８４１ａ，８４２ａを前フレーム８１ａに沿う態様で配置した場合、前フレーム８１ａと重ならない下方位置にねじの挿通穴Ｓ１１〜Ｓ１４が穿設されている。
【００７１】
後方案内部材８５は、底部８５１と案内部８５２とならなる。底部８５１は、底板８５１ａと左右側壁８５１ｂ，８５１ｂと後壁８５１ｃと前壁８５１ｄとからなり、上記底板８５１ａと左右側壁８５１ｂ，８５１ｂと後壁８５１ｃとによりシュータ本体８０を格納する浅い箱型に形成されている。底部８５１の前壁８５１ｄは下方に折り曲げられてシュータ本体８０を前方から格納する空間を形成している。上記前壁８５１ｄには、上記前方案内部材８４を構成する右側案内部材８４１と左側案内部材８４２の取付部８４１ａ，８４２ａに穿設されたねじの挿通穴Ｓ１１〜Ｓ１４に対峙する位置にねじ溝Ｓ２１〜Ｓ２４が形成されてなる。また、後方案内部材８５は、後壁８５１ｃに連なる平坦部８５３を備え、この平坦部８５３に連ねて案内部８５２が形成されている。案内部８５２は、斜め上方に傾斜した傾斜部８５２ａと、この傾斜部８５２ａに連なる鉛直部８５２ｂとからなる。鉛直部８５２ｂの左端側は、庫内商品搬出シュータ８をケース本体１の商品収納室１Ａの商品搬出用の空間２ａに配設した際、商品収納ラック７から搬出される商品と干渉しないように適宜の形状に切断されている。
【００７２】
後方案内部材８５の底部８５１へのシュータ本体８０の組み付けは、底部８５１における前壁８５１ｄが下方に折り曲げられることにより解放した空間（間口）の前方からシュータ本体８０を底部８５１へ挿入し、シュータ本体８０の後フレーム８１ｂが底部８５１の後壁８５１ｃに当接するまで押し込むことによりシュータ本体８０が底部８５１に格納される。後方案内部材８５の底部８５１にシュータ本体８０を格納した状態ではフレーム８１の後フレーム８１ｂが後方案内部材８５の底部８５１と後壁８５１ｃと平坦部８５３とにより形成される溝内に進入し、フレーム８１の前フレーム８１ａと底部８５１における前壁８５１ｄとが鉛直方向に面一となる。そして、前方案内部材８４を構成する右側案内部材８４１と左側案内部材８４２のそれぞれの取付部８４１ａ，８４２ａを前フレーム８１ａに沿う態様で配設したうえで取付部８４１ａ，８４２ａに形成したねじの挿通穴Ｓ１１〜Ｓ１４を介してねじＳ１〜Ｓ４を後方案内部材８５に穿設したねじ溝Ｓ２１〜Ｓ２４にねじ込むことによりシュータ本体８０と前方案内部材８４と後方案内部材８５とが一体化されて庫内商品搬出シュータ８が構成される。この場合、右側案内部材８４１と左側案内部材８４２の平坦部８４１ｂ，８４２ｂがフレーム８１の前フレーム８１ａと後フレーム８１ｂの上方を覆うようになり、商品が前フレーム８１ａ及び後フレーム８１ｂに接することを防止する。
【００７３】
また、右側案内部材８４１と左側案内部材８４２の平坦部８４１ｂ，８４２ｂ、及び後方案内部材８５の後壁８５１ｃは、断熱仕切部材５に設けた上下一対の係止具５５，５６の係合片５５ａ，５６ａ（図１８参照）が係合するものである。すなわち、庫内商品搬出シュータ８を使用しない場合に当該庫内商品搬出シュータ８を後方案内部材８５の底部８５１が断熱仕切部材５の面に平行となる姿勢としたうえで断熱仕切部材５の前方から上記右側案内部材８４１と左側案内部材８４２の平坦部８４１ｂ，８４２ｂ、及び後方案内部材８５の後壁８５１ｃを係止具５５，５６の係合片５５ａ，５６ａに対峙する態様で係止具５５，５６の間に挿入すると庫内商品搬出シュータ８が係止具５５，５６に保持された状態で商品搬出室１Ｂに格納される。
【００７４】
上記庫内商品搬出シュータ８の左右両端の底部には係止金具８６，８７がねじ又は溶接により固着される。具体的には係止金具８６，８７は、後方案内部材８５の底部８５１を構成する底板８５１ａにねじ又は溶接により固着される。これらの係止金具８６，８７は、ケース本体１の左側壁の内側に固着された取付金具８０１と断熱仕切部材５の商品収納室１Ａ側の内壁に固着された取付金具８０２に係合して庫内商品搬出シュータ８をケース本体１の商品搬出用の空間２ａに架設するものである。
【００７５】
図１３に示すように、係止金具８７は後方案内部材８５の底部８５１を構成する底板８５１ａにねじ又は溶接で固着される基台８７ａと、当該基台８７ａから下方に折り曲げて形成した前後一対の舌片８７ｂ，８７ｂと、これらの舌片８７ｂ，８７ｂの間に位置する当接片８７ｃと、基台８７ａから外方に突出する突起８７ｄ，８７ｄを備えて構成される。上記舌片８７ｂ，８７ｂ及び突起８７ｄ，８７ｄは略箱形に形成された取付金具８０２に設けた係止穴８０２ａ，８０２ａ（図１２参照）に挿入して取付金具８０２と係合する。舌片８７ｂ，８７ｂは庫内商品搬出シュータ８が左右方向に移動して取付金具８０２から脱落するのを防止する一方、突起８７ｄ，８７ｄは庫内商品搬出シュータ８が上下方向に移動して取付金具８０２から脱落するのを防止する。当接片８７ｃは取付金具８０２に当接して庫内商品搬出シュータ８の位置を定めるものである。一方、係止金具８６は後方案内部材８５の底部８５１を構成する底板８５１ａにねじ又は溶接で固着される基台８６ａと、係止金具８７の前後一対の舌片８７ｂ，８７ｂと同様に形成された前後一対の舌片８６ｂ，８６ｂとを備えて構成される。係止金具８６の前後一対の舌片８６ｂ，８６ｂは略箱形に形成された取付金具８０１に設けた係止穴８０１ａ，８０１ａ（図１２参照）に挿入して取付金具８０１と係合し、庫内商品搬出シュータ８が左右方向に移動して取付金具８０１から脱落するのを防止する。
【００７６】
かかる構成の庫内商品搬出シュータ８は、図１４に示すように、ケース本体１の左側壁の内側に固着された取付金具８０１と断熱仕切部材５の商品収納室１Ａ側の内壁に固着された取付金具８０２に係止金具８６，８７を介してケース本体１の商品搬出用の空間２ａに架設される。この場合、庫内商品搬出シュータ８は右下がりに傾斜し、庫内商品搬出シュータ８の右端が断熱仕切部材５の商品払出口５１に対峙している。このように、ケース本体１の商品搬出用の空間２ａに架設された庫内商品搬出シュータ８は商品載置棚６の商品収納ラック７から搬出された商品を断熱仕切部材５の商品払出口５１に向けて搬送する。
【００７７】
庫外商品搬出シュータ９を図１５及び図１６に示す。図１５は庫外搬出シュータを示す分解斜視図であり、図１６はケース本体の右側板を除去した状態の一部省略右側面図である。
【００７８】
図１５に示すように庫外商品搬出シュータ９は商品の滑動若しくは転動面となる搬送部９１と、搬送部９１の左右から鉛直に立ち上がる左右側壁部９４，９５とを備えてなる。左側壁部９４の上部は断熱仕切部材５に向けて傾斜した傾斜部９４ａを有している。搬送部９１の前後両端には下方に折り曲げられた係合片９２，９３が形成され、係合片９２にはねじ挿通穴９２ａ，９２ａが穿設され、係合片９３には舌片９３ａ，９３ａが形成されている。
【００７９】
取付金具９０１，９０２は係合片９２，９３と係合して庫外商品搬出シュータ９をケース本体１の商品搬出室１Ｂに架設するものである。取付金具９０１は、図１４に示したように、断熱仕切部材５とケース本体１の右側板１３に左右両端がねじで固着されるものであり、鉛直部９０１ａにねじ孔９０１ｂ、９０１ｂが穿設されている。取付金具９０２は、図１６に示すように、ケース本体１の背板１２に添着されたものであり、水平部９０２ａにスリット状の溝９０２ｂ，９０２ｂが形成されている。尚、取付金具９０２は、図３及び図４に示した背板１２に設けた搬出口枠ユニット１９が装着された商品搬出口１６の下方に添着されている。
【００８０】
庫外商品搬出シュータ９は、次のようにしてケース本体１の商品搬出室１Ｂに架設される。すなわち、搬送部９１の後端に設けた係合片９３の舌片９３ａ，９３ａをケース本体１の背板１２に添着された取付金具９０２のスリット状の溝９０２ｂ，９０２ｂに差し込んで係合させた後、搬送部９１の前端に設けた係合片９２を断熱仕切部材５とケース本体１の右側板１３に固着された取付金具９０１の鉛直部９０１ａに被せる態様で鉛直部９０１ａと前後に重ね合わせたうえでねじＳ５，Ｓ６により両者をねじ止めする。
【００８１】
このように、ケース本体１の商品搬出室１Ｂに架設に架設された庫外商品搬出シュータ９は断熱仕切部材５の商品払出口５１を介して搬出された商品を背板１２に設けた商品搬出口１６に向けて送出する。商品搬出口１６に送出された商品は搬出口枠ユニット１９の搬出口扉１８を押し開いて自動販売機用扉４の商品取出口４０の前面側（自動販売機用扉４から見た場合には背面側）に設けた箱形構造の商品受箱４０１（図１７参照）に送出される。
【００８２】
かかる構成になるショーケース兼用自動販売機１０をショーケースモードで使用する場合には、図１７に示すように、庫内商品搬出シュータ８を、メンテナンス扉３を開いてケース本体１の商品搬出室１Ｂに格納しておく。この場合、庫内商品搬出シュータ８は後方案内部材８５の底部８５１が断熱仕切部材５の面に平行となる姿勢としたうえで断熱仕切部材５の前方から上記右側案内部材８４１と左側案内部材８４２の平坦部８４１ｂ，８４２ｂ、及び後方案内部材８５の後壁８５１ｃを係止具５５，５６の係合片５５ａ，５６ａに対峙する態様で係止具５５，５６の間に挿入することにより係止具５５，５６に保持された状態で商品搬出室１Ｂに格納される。また、庫内商品搬出シュータ８は係止具５５，５６に保持された状態で、断熱仕切部材５に形成した商品払出口５１を塞ぐ態様で、その商品払出口５１に装着される払出口枠ユニット５４の払出口扉５３を覆うようになっている。これにより、ショーケース兼用自動販売機１０をショーケースモードで使用する場合に払出口扉５３が不測に開いて冷気若しくは暖気が漏れるのを防止することができる。このように、ショーケース兼用自動販売機１０をショーケースモードで使用する場合、購入者はショーケース用扉２を開放して商品収納ラック７若しくは商品載置棚６から商品を取り出す。
【００８３】
ショーケース兼用自動販売機１０を自動販売機モードで使用する場合には、上述した図１７に示すように商品搬出室１Ｂに格納された庫内商品搬出シュータ８を、メンテナンス扉３を開いて取り出した後、ショーケース用扉２を開いたうえで、図１８に示すようにケース本体１の商品搬出用の空間２ａに架設する。庫内商品搬出シュータ８のケース本体１における商品搬出用の空間２ａへの架設は、上述した図１４にて説明したとおりであるのでここでは重複する説明は省略するが、ケース本体１の左側壁の内側に固着された取付金具８０１と断熱仕切部材５の商品収納室１Ａ側の内壁に固着された取付金具８０２（図１４も参照）に係止金具８６，８７（図１３参照）を介してケース本体１の商品搬出用の空間２ａに架設される。尚、ショーケースモードで商品が購入された商品収納ラック７については、作業者がショーケース用扉２を開放して庫内商品搬出シュータ８をケース本体１における商品搬出用の空間２ａに架設する際に商品を補充しておく。
【００８４】
このように、庫内商品搬出シュータ８をケース本体１における商品搬出用の空間２ａに架設した自動販売機モードでは、自動販売機用扉４のディスプレイ装置４２には販売する商品及び商品価格を表示する。尚、ショーケースモードにおいては、自動販売機用扉４のディスプレイ装置４２は商品宣伝用の販促パネルとしての活用、各種コンテンツ情報の表示を行う。
【００８５】
さて、自動販売機モードにおいて、購入者が紙幣挿入口４３ａ、硬貨投入口４３ｂに紙幣、硬貨を投入すると不図示の紙幣識別装置、硬貨識別装置により真偽及び金種が識別され、真偽結果が「真」の場合には紙幣識別装置、硬貨識別装置から自動販売機の主制御装置に金種信号が送られて合計金額が算出され、真偽結果が「偽」の場合には投入紙幣が紙幣挿入口４３ａに返却され、投入硬貨が硬貨返却口４３ｄに返却される。自動販売機の主制御装置は、投入紙幣、硬貨の合計金額と商品価格とを比較して合計金額が商品価格と一致或いは商品価格を超える商品についてディスプレイ装置４２に表示し、購入者が購入の意思を示すためにディスプレイ装置４２に表示された商品をタッチすると当該商品を収納した商品収納ラック７に搭載された駆動ユニット７０のモータ７０２に駆動信号を与えて商品搬出機構７１により前後方向に一列に整列して収納された商品をショーケース用扉２の方向に搬送して１個の商品（最前列の商品）を搬出する。
【００８６】
商品収納ラック７に搭載された商品搬出機構７１から搬出されて庫内商品搬出シュータ８に落下した商品は、断熱仕切部材５の商品払出口５１に装着された払出口枠ユニット５４の払出口扉５３を押し開いて庫外商品搬出シュータ９に落下してケース本体１の背板１２に設けた商品搬出口１６に向けて送出された後、商品搬出口１６に装着された搬出口枠ユニット１９の搬出口扉１８を押し開いて自動販売機用扉４の商品取出口４０の前面側（自動販売機用扉４から見た場合には背面側）に設けた箱形構造の商品受箱４０１に送出される。商品受箱４０１に送出された商品は商品取出口４０を閉塞する内開き方式の取出口扉４００を購入者が押し開くことにより取り出される。
【００８７】
自動販売機の主制御装置は、購入者が投入した硬貨、紙幣の合計金額が選択された商品の商品価格を超えて釣銭が必要な場合、貨識別装置、紙幣識別装置から必要とする釣銭を払い出して販売動作を終了する。
【００８８】
上述したように、本発明の実施の形態であるショーケース兼用自動販売機１０によれば、箱形の断熱筐体として形成され、前後方向の一方の面（前面）が開口してなるとともに一方の面（前面）に対向する他方の面（背板１２）に商品搬出口１６が形成されてなるケース本体１と、上記ケース本体１の一方の面（前面）の開口に開閉自在に設けられたショーケース用扉２と、上記ケース本体１の他方の面（背板１２）に開閉自在に設けられるとともに上記ケース本体１の他方の面（背板１２）に設けた商品搬出口１６と対峙する位置に商品取出口４０が設けられた自動販売機用扉４と、上記ケース本体１内を左右方向に商品収納室１Ａと商品搬出室１Ｂとに区画するとともに商品収納室１Ａと商品搬出室１Ｂとを連通する態様で開口し、かつ、常時払出口扉５３で閉塞された商品払出口５１が形成されてなる断熱仕切部材５と、上記ケース本体１における商品収納室１Ａ内にショーケース用扉２との間に商品搬出用の空間２ａを形成する態様で上下方向に複数段架設され、前後方向に一列に整列して収納された商品Ｇをショーケース用扉２方向に搬送して搬出し、かつ、商品Ｇの売り切れを検知する売り切れ検知装置７８を有する商品搬出機構７１を搭載した商品収納ラック７が左右方向に複数列配設されてなる商品載置棚６と、上記ケース本体１の商品搬出用の空間２ａに着脱自在に配設され、商品収納ラック７から搬出された商品Ｇを断熱仕切部材５の商品払出口５１に向けて搬送する庫内商品搬送装置（庫内商品搬出シュータ８）と、上記庫内商品搬送装置（庫内商品搬出シュータ８）により搬送され、上記断熱仕切部材５の商品払出口５１を介して搬出された商品Ｇを受け取って上記ケース本体１の他方の面（背板１２）に設けた商品搬出口１６に搬送する庫外商品搬送装置（庫外商品搬出シュータ９）と、を備えてなることにより、ケース本体１の他方の面（背板１２）には商品搬出口１６が形成されているのみで、従来装置のように断熱筐体として構成されたケース本体の背面を開放（ケース本体の背面の断熱材を削除）してケース本体の断熱性能を著しく低下させてしまい、ケース本体内の商品載置棚に収納された商品を所望の冷却温度に維持するための冷凍機コンデンシングユニットが大型化して電力消費量の増大を招来するという不利な点を解消して省エネルギー化を図ることができる。また、ケース本体１内に収納した商品Ｇをショーケース用及び自動販売機用に共用することができるという効果を奏するものである。
【００８９】
次に本発明に係る商品収納装置の変形例について説明する。図１９は、本発明の実施の形態である商品収納装置の変形例の内部構造を示す斜視図である。尚、上述した実施の形態である商品収納装置（ショーケース兼用自動販売機１０）と同一の構成要素には同一の符号を付して重複した説明を省略する。
【００９０】
ここで例示する商品収納装置は、例えばコンビニエンスストア等の店舗に設置されたショーケース兼用自動販売機１０′であり、前方が店舗内を向く一方、後方が店舗外を向くようにケース本体が店舗の壁を貫通して設置されている。
【００９１】
ショーケース兼用自動販売機１０′は、装置本体１０ａ′を備えている。この装置本体１０ａ′は、ケース本体１と、ショーケース用扉（扉体）２及びメンテナンス扉３と、自動販売機用扉（他の扉体）４とを備えており、ケース本体１は、断熱仕切部材５と、商品載置棚６と、搬送手段１Ｄとを備えている。
【００９２】
搬送手段１Ｄは、商品搬出用の空間２ａに配設され、商品収納ラック７から搬出された商品を商品払出口５１に向けて搬送する庫内商品搬送装置１００と、庫外商品搬出シュータ（庫外商品搬送装置）９とを備えている。
【００９３】
図２０は、図１９に示した庫内商品搬送装置１００を示す斜視図である。この図２０に示すように、庫内商品搬送装置１００は、庫内商品搬出トレイ１１０と昇降機構１２０とを備えて構成されている。
【００９４】
庫内商品搬出トレイ１１０は、図２１及び図２２に示すように、トレイ本体１１１と、前方側案内部材１１２と、後方側案内部材１１３とを有している。トレイ本体１１１は、図２３にも拡大して示すように、商品収納ラック７に近接するに連れて、すなわち後方に向かうに連れて漸次下方に傾斜する前方側傾斜案内部（第１傾斜案内部）１１１１と、前方側傾斜案内部１１１１における商品収納ラック７に最も近接する端部である後端部１１１１ａに連続し、かつ後方に向かうに連れて漸次上方に傾斜する後方側傾斜案内部（第２傾斜案内部）１１１２とを有しており、全体として商品払出口５１に向けて（右方に向けて）漸次下方に傾斜している。
【００９５】
このようなトレイ本体１１１を構成する前方側傾斜案内部１１１１及び後方側傾斜案内部１１１２は、前後方向に沿って配置される多数の軸１１１３に、該軸１１１３に挿通されることにより支持された複数のローラ１１１４を配して形成したものであり、いわゆる「そろばん」の形態をなしている。
【００９６】
前方側案内部材１１２は、例えば板金等を加工して形成されるものであり、トレイ本体１１１の前端部分（前方側傾斜案内部１１１１の前端部分）より上方に向けて延在する態様で設けられている。後方側案内部材１１３は、例えば板金等を加工して形成されるものであり、トレイ本体１１１の後端部分（後方側傾斜案内部１１１２の後端部分）より上方に向けて延在する態様で設けられている。
【００９７】
昇降機構１２０は、商品搬出用の空間２ａにて庫内商品搬出トレイ１１０を上下方向に沿って移動させるためのもので、庫内商品搬出トレイ１１０に左方昇降体１２１Ｌ及び右方昇降体１２１Ｒが設けられる一方、ケース本体１に左右一対の昇降ガイドレール１２２が設けられることによって構成されている。
【００９８】
左方昇降体１２１Ｌは、トレイ本体１１１の左端部分より下方に延在する態様で設けられており、複数のガイドローラ１２３ａが回転可能に取り付けられている。右方昇降体１２１Ｒは、トレイ本体１１１の右端部分より下方に延在する態様で設けられており、複数のガイドローラ１２３ｂが回転可能に取り付けられている。
【００９９】
昇降ガイドレール１２２のうち左方昇降ガイドレール１２２Ｌは、案内路１２４ａを介して左方昇降体１２１Ｌのガイドローラ１２３ａを長手方向に沿った直線上に案内する長尺部材であり、商品搬出用の空間２ａの左端縁部を構成している。右方昇降ガイドレール１２２Ｒは、右方昇降体１２１Ｒのガイドローラ１２３ｂを長手方向に沿った直線上に案内する長尺部材であり、商品搬出用の空間２ａの右端縁部を構成している。この右方昇降ガイドレール１２２Ｒは、上記断熱仕切部材５に取り付けられており、商品払出口５１に連通する払出開口１２５が形成されている。
【０１００】
この昇降機構１２０には、左方昇降ガイドレール１２２Ｌにスプロケット１２６が付設されている。スプロケット１２６は、ロッド１２７を介して電動モータ等の昇降アクチュエータ１２８に連係されており、この昇降アクチュエータ１２８によって正転／逆転するもので、回転中心軸が左右方向に沿って水平となる状態で左方昇降ガイドレール１２２Ｌの上方域に取り付けられている。このスプロケット１２６には、タイミングチェーン１２９が巻回されている。タイミングチェーン１２９は、一方の端部が左方昇降体１２１Ｌに接続されており、かつ他方の端部がバランスウエイト１３０の上端部に接続されている。
【０１０１】
これに対して、右方昇降ガイドレール１２２Ｒには、スプロケット１２６やタイミングチェーン１２９に相当する構成が設けられておらず、先のバランスウエイト１３０と右方昇降体１２１Ｒとの間が唯一プルケーブル１３１によって接続されている。プルケーブル１３１は、シース１３１ａの内部に金属製のインナワイヤ１３１ｂが配設されたもので、シース１３１ａを介してケース本体１の前面の開口（取出用開口２ｂ）の上縁部に保持されている。プルケーブル１３１の両端部は、それぞれ下方に向けて延在しており、シース１３１ａの各端部から延出したインナワイヤ１３１ｂの端部が右方昇降体１２１Ｒ及びバランスウエイト１３０の上端部に接続されている。インナワイヤ１３１ｂの長さは、途中で弛むことなく右方昇降体１２１Ｒとバランスウエイト１３０との間を接続できる長さに設定されている。
【０１０２】
そのような昇降機構１２０は、常態においては、庫内商品搬出トレイ１１０を、図２４に示すように商品搬出用の空間２ａにおいて、最上位の商品載置棚６よりも上方となる位置に配置させている。従って、庫内商品搬出トレイ１１０は、常態においては、図１９に示した目隠板２ｃの後方に配置されている。
【０１０３】
かかる構成になるショーケース兼用自動販売機１０′をショーケースモードで使用する場合には、庫内商品搬出トレイ１１０は、目隠板２ｃの後方に配置されて購入者には視認されない。そして、購入者はショーケース用扉２を開放して商品収納ラック７若しくは商品載置棚６から商品を取り出すことができる。
【０１０４】
ショーケース兼用自動販売機１０′を自動販売機モードで使用する場合には、自動販売機用扉４のディスプレイ装置４２には販売する商品及び商品価格を表示する。尚、ショーケースモードにおいては、自動販売機用扉４のディスプレイ装置４２は商品宣伝用の販促パネルとしての活用、各種コンテンツ情報の表示を行う。
【０１０５】
さて、自動販売機モードにおいて、購入者が紙幣挿入口４３ａ、硬貨投入口４３ｂに紙幣、硬貨を投入すると不図示の紙幣識別装置、硬貨識別装置により真偽及び金種が識別され、真偽結果が「真」の場合には紙幣識別装置、硬貨識別装置から自動販売機の主制御装置に金種信号が送られて合計金額が算出され、真偽結果が「偽」の場合には投入紙幣が紙幣挿入口４３ａに返却され、投入硬貨が硬貨返却口４３ｄに返却される。
【０１０６】
自動販売機の主制御装置は、投入紙幣、硬貨の合計金額と商品価格とを比較して合計金額が商品価格と一致或いは商品価格を超える商品についてディスプレイ装置４２に表示し、購入者が購入の意思を示すためにディスプレイ装置４２に表示された商品をタッチすると、昇降アクチュエータ１２８を駆動させてスプロケット１２６が回転し、図２５に示すように、庫内商品搬出トレイ１１０が下方に向けて移動し、当該商品Ｇを収納した商品収納ラック７を備える商品載置棚６の前方に配置される。また主制御装置は、当該商品収納ラック７に搭載された駆動ユニット７０のモータ７０２に駆動信号を与えて商品搬出機構７１により前後方向に一列に整列して収納された商品Ｇをショーケース用扉２の方向に搬送して１個の商品（最前列の商品）を搬出する。
【０１０７】
商品収納ラック７に搭載された商品搬出機構７１から搬出されて庫内商品搬出トレイ１１０に落下した商品Ｇは、トレイ本体１１１の形状により右方に向けて移動する。庫内商品搬出トレイ１１０が商品Ｇを受容することで、主制御装置は、昇降アクチュエータ１２８を駆動させてスプロケット１２６を回転させ、庫内商品搬出トレイ１１０を上下方向に沿って移動させることで、トレイ本体１１１の右端部分が払出開口１２５（商品払出口５１）を臨む高さレベルに配置させる。これにより商品Ｇは、断熱仕切部材５の商品払出口５１に装着された払出口枠ユニット５４の払出口扉５３を押し開いて庫外商品搬出シュータ９に落下してケース本体１の背板１２に設けた商品搬出口１６に向けて送出された後、商品搬出口１６に装着された搬出口枠ユニット１９の搬出口扉１８を押し開いて自動販売機用扉４の商品取出口４０の前面側に設けた箱形構造の商品受箱４０１に送出される。商品受箱４０１に送出された商品Ｇは商品取出口４０を閉塞する内開き方式の取出口扉４００を購入者が押し開くことにより取り出される。
【０１０８】
自動販売機の主制御装置は、購入者が投入した硬貨、紙幣の合計金額が選択された商品の商品価格を超えて釣銭が必要な場合、貨識別装置、紙幣識別装置から必要とする釣銭を払い出して販売動作を終了する。
【０１０９】
以上説明したようなショーケース兼用自動販売機１０′によれば、箱形の断熱筐体として形成され、前後方向の一方の面（前面）が開口してなるとともに一方の面（前面）に対向する他方の面（背板１２）に商品搬出口１６が形成されてなるケース本体１と、上記ケース本体１の一方の面（前面）の開口に開閉自在に設けられたショーケース用扉２と、上記ケース本体１の他方の面（背板１２）に開閉自在に設けられるとともに上記ケース本体１の他方の面（背板１２）に設けた商品搬出口１６と対峙する位置に商品取出口４０が設けられた自動販売機用扉４と、上記ケース本体１内を左右方向に商品収納室１Ａと商品搬出室１Ｂとに区画するとともに商品収納室１Ａと商品搬出室１Ｂとを連通する態様で開口し、かつ、常時払出口扉５３で閉塞された商品払出口５１が形成されてなる断熱仕切部材５と、上記ケース本体１における商品収納室１Ａ内にショーケース用扉２との間に商品搬出用の空間２ａを形成する態様で上下方向に複数段架設され、前後方向に一列に整列して収納された商品Ｇをショーケース用扉２方向に搬送して搬出し、かつ、商品Ｇの売り切れを検知する売り切れ検知装置７８を有する商品搬出機構７１を搭載した商品収納ラック７が左右方向に複数列配設されてなる商品載置棚６と、上記ケース本体１の商品搬出用の空間２ａに上下方向に沿って移動可能に配設され、商品収納ラック７から搬出された商品Ｇを断熱仕切部材５の商品払出口５１に向けて搬送する庫内商品搬出トレイ１１０と、この庫内商品搬出トレイ１１０により搬送され、上記断熱仕切部材５の商品払出口５１を介して搬出された商品Ｇを受け取って上記ケース本体１の他方の面（背板１２）に設けた商品搬出口１６に搬送する庫外商品搬送装置（庫外商品搬出シュータ９）と、を備えてなることにより、ケース本体１の他方の面（背板１２）には商品搬出口１６が形成されているのみで、従来装置のように断熱筐体として構成されたケース本体の背面を開放（ケース本体の背面の断熱材を削除）してケース本体の断熱性能を著しく低下させてしまい、ケース本体内の商品載置棚に収納された商品を所望の冷却温度に維持するための冷凍機コンデンシングユニットが大型化して電力消費量の増大を招来するという不利な点を解消して省エネルギー化を図ることができる。また、ケース本体１内に収納した商品Ｇをショーケース用及び自動販売機用に共用することができるという効果を奏するものである。
【０１１０】
また上記ショーケース兼用自動販売機１０′によれば、次のような効果を奏する。すなわち、庫内商品搬出トレイ１１０を常態においては、商品搬出用の空間２ａにおける最上位の商品載置棚６よりも上方に配置させるので、ショーケースモードの際に庫内商品搬出トレイ１１０を取り外す必要がないだけでなく、自動販売機モードの際に選択された商品が収納された商品収納ラック７、並びに商品払出口５１の高さレベルまで移動させることで販売時間の短縮化を図ることができる。
【０１１１】
特に庫内商品搬出トレイ１１０が上下方向に沿って移動可能であることにより、内容物が落下衝撃により破損しやすい商品等も販売商品として取り扱うことができ、適用商品の拡大化を図ることができる。
【０１１２】
また庫内商品搬出トレイ１１０におけるトレイ本体１１１は、商品収納ラック７に近接するに連れて漸次下方に傾斜する前方側傾斜案内部１１１１と、前方側傾斜案内部１１１１における商品収納ラック７に最も近接する後端部１１１１ａに連続し、かつ商品収納ラック７に近接するに連れて漸次上方に傾斜する後方側傾斜案内部１１１２とを備えているので、側方から見た場合にＶ字状をなし、例えば袋等の容器に入れられた商品のように形状が不定型な商品についても良好に搬送することができる。
【０１１３】
以上、本発明の実施の形態及び代表的な変形例について説明したが、本発明はこれらに限定されるものではなく、種々の変更を行うことができる。
【０１１４】
上述した実施の形態では、庫内商品搬出シュータ８を設けたものについて説明したが、本発明では、庫内商品搬出シュータ８に代えて次の商品搬送装置を設けることもできる。すなわち、ケース本体の商品搬出用の空間にＹ軸搬送機構により上下移動するバケットを設け、バケットの底面にＸ軸方向（水平方向）に商品を搬送する無端の搬送ベルトを配し、この無端の搬送ベルトを駆動する駆動モータによる駆動するようにした商品搬送装置を設けることもできる。このような商品搬送装置は、内部を透視可能とした自動販売機に用いられる商品搬送装置として公知の技術を採用することができ、本発明にかかる庫内商品搬送装置は実施の形態に示した庫内商品搬出シュータ８に限定されるものではない。また、庫外搬出シュータについても無端の搬送ベルトとすることができるものである。更に、商品搬出機構は搬送ベルトを用いたコンベア方式の代わりにスパイラル方式等の公知の方式のものを用いることができるものであり、本発明は実施の形態に示したショーケース兼用自動販売機に限定されるものではない。
【０１１５】
上述した実施の形態及び変形例においては、自動販売機用扉４に商品取出口４０が設けられていたが、本発明においては、商品取出口は、装置本体における取出用開口（２ｂ）以外の個所に設けられていてもよい。すなわち、ケース本体の側面に商品取出口が設けられていてもよいし、ケース本体の側面に形成された開口を開閉する扉に商品取出口が設けられていてもよい。
【符号の説明】
【０１１６】
１…ケース本体、２…ショーケース用扉、３…メンテナンス扉、４…自動販売機用扉、５…断熱仕切部材、６…商品載置棚、７…商品収納ラック、８…庫内商品搬出シュータ（庫内商品搬送装置）、９…庫外商品搬出シュータ（庫外商品搬送装置）、１０…ショーケース兼用自動販売機、１２…背板、１６…商品搬出口、１７…搬出口枠、１８…搬出口扉、１９…搬出口枠ユニット、７０…駆動ユニット、７１…商品搬出機構、７２…搬送ベルト、７８…売り切れ検知装置。
【図１】
2020057343.tif 000003
【図２】
2020057343.tif 000004
【図３】
2020057343.tif 000005
【図４】
2020057343.tif 000006
【図５】
2020057343.tif 000007
【図６】
2020057343.tif 000008
【図７】
2020057343.tif 000009
【図８】
2020057343.tif 000010
【図９】
2020057343.tif 000011
【図１０】
2020057343.tif 000012
【図１１】
2020057343.tif 000013
【図１２】
2020057343.tif 000014
【図１３】
2020057343.tif 000015
【図１４】
2020057343.tif 000016
【図１５】
2020057343.tif 000017
【図１６】
2020057343.tif 000018
【図１７】
2020057343.tif 000019
【図１８】
2020057343.tif 000020
【図１９】
2020057343.tif 000021
【図２０】
2020057343.tif 000022
【図２１】
2020057343.tif 000023
【図２２】
2020057343.tif 000024
【図２３】
2020057343.tif 000025
【図２４】
2020057343.tif 000026
【図２５】
2020057343.tif 000027